(57)【要約】【課題】  狭額縁化を容易に図ることのできる液晶表示パネルを提供する。【解決手段】  基板２の一面の画像表示領域の周辺の額縁部分３に、多数の配線４を高低差を設けて形成する。【選択図】      図１
2005070512.tif 000002
【特許請求の範囲】
【請求項１】
基板の一面の画像表示領域の周辺の額縁部分に多数の配線が形成されている液晶表示パネルにおいて、
前記多数の配線が、前記基板の厚さ方向に高低差を設けて形成されていることを特徴とする液晶表示パネル。
【請求項２】
前記多数の配線の高低差が、前記基板の一面に凹凸を設けることによって形成されている請求項１に記載の液晶表示パネル。
【請求項３】
前記多数の配線の高低差が、前記多数の配線の配列方向に沿って高低を交互に繰り返すように設けられている請求項１または２に記載の液晶表示パネル。
【請求項４】
前記多数の配線の高低差が、配線の厚さの２倍以上である請求項３に記載の液晶表示パネル。
【発明の詳細な説明】
【技術分野】
【０００１】
本発明は、狭額縁化を実現するのに好適な液晶表示パネルに関する。
【背景技術】
【０００２】
従来から、情報の表示を行う表示装置の一種として、小型かつ軽量でしかも設置スペースが少なくてすむ液晶表示装置が知られており、このような液晶表示装置の表示部として一対の基板の間に液晶が封入されたＴＮ方式あるいはＳＴＮ方式の液晶表示パネルが用いられている（例えば、特許文献１参照）。
【０００３】
このような液晶表示装置に用いられている従来の液晶表示パネルには、例えば、透明なガラスなどからなる一対の基板が対向して配置されている。これらの基板の互いに対向する内側表面には、ＩＴＯ（インジウム・スズ酸化物）などからなる透明導電膜をフォトリソ法などにより所定のパターンにパターニングして得られる表示用電極がそれぞれ形成されている。そして、表示用電極が形成された基板の表面には、互いに対向する表示用電極間で液晶分子を一定の形態に配列させるために表面にラビング処理が施されたポリイミドなどの高分子からなる配向膜が形成されている。
【０００４】
このような配向処理が施された一対の基板は、相互間の間隔であるセルギャップがスペーサによって数μｍ程度に保持されている。また、一対の基板は、周辺が接着材を兼ねたシール材によって貼り合わされており、予め設けられた注入口から液晶が注入され、その後注入口を封止することで、一対の基板の間に液晶が密封されている。
【０００５】
このような液晶表示パネルにおいては、貼り合わされた一対の基板のシール材により囲まれた内側に、情報の表示に用いる画素が形成されている画像表示領域が設けられている。この画像表示領域においては、一対の基板にそれぞれ形成されている表示用電極が例えば互いに直交するように整列配置されており、この一対の基板に形成された表示用電極の相互に対向する交点が画素とされている。そして、画像表示領域の周辺の額縁部分は、情報の表示に関与しない非画像表示領域とされている。
【０００６】
液晶表示パネルに用いられる一方の基板の少なくとも一辺には、他方の基板の外側、すなわち画像表示領域の外側へ張り出す端子形成部が形成されており、液晶駆動用ＬＳＩあるいは液晶駆動用ＩＣなどのチップ部品を直接搭載するＣＯＧ（chip on glass ）実装方式における端子形成部の液晶側の表面には、外部接続端子、チップ部品のバンプとの接続に用いる入力端子および出力端子などの多数の端子が形成されている。また、端子形成部を含む額縁部分には、外部接続端子と入力端子とを接続する入力側引き回し配線、出力端子と表示用電極とを接続する出力側引き回し配線などの線状に形成された所定パターンの多数の配線が形成されている。
【０００７】
なお、端子および配線は、基板上に形成した透明導電膜をパターニングして画像表示領域に表示用電極を形成する際に、非画像表示領域に位置する透明導電膜をパターニングすることで形成されている。すなわち、端子および配線は、表示用電極と同一厚さの透明導電膜により、表示用電極の形成と同時に設けられている。
【０００８】
また、近年の液晶表示パネルとしては、部品点数を低減できるとともに、液晶表示パネルと外部駆動回路との接続を簡単かつ容易に行うことができるなどの理由により、一対の基板のうちの一方の基板の端子形成部にのみ必要数の多数の外部接続端子を形成し、出力端子のうち所定数を外部接続端子が形成されている基板の表示用電極と電気的に接続し、出力端子の残りを外部接続端子の形成されていない他方の基板の表示用電極と電気的に接続するトランスファ構造とされているのが一般的である。このようなトランスファ構造を用いた液晶表示パネルにおいては、他方の基板の表示用電極との接続に用いる配線である出力側引き回し配線は、シール材の配設部に形成されている入力側のトランスファ端子に接続されるようになっている。この入力側のトランスファ端子は、他方の基板に対向するように形成されている出力側のトランスファ端子に接続されている。
【０００９】
図２は、従来の液晶表示パネルの基板の額縁部分に形成される配線の一例をその配列方向に沿って切断して誇張して示す部分拡大断面図であり、図２に示すように、従来の液晶表示パネル１１は、基板１２の額縁部分１３の液晶側に位置する一面である図２の上面に線状とされた多数の配線１４が形成されている。これらの配線１４は、最も密度の高い部位において、少なくとも隣位する配線の相互間で平面的な間隔Ｓを置いて配列されている。この間隔Ｓは、最も間隔Ｓの狭い部分において、少なくとも放電を生じない寸法、例えば５〜１０μｍ程度とされている。なお、額縁部分１３は、基板１２の画像表示領域の周辺に設けられている。
【００１０】
【特許文献１】特開２０００−２８４２６１号公報
【発明の開示】
【発明が解決しようとする課題】
【００１１】
しかしながら、前述した従来の液晶表示パネル１１においては、近年のドットの高密度化、画像表示領域の拡大にともなう狭額縁化の要求に応えることができないという問題点があった。
【００１２】
すなわち、従来の液晶表示パネル１１の基板１２の額縁部分１３に多数の配線１４を形成するためには、少なくとも隣位する配線１４の相互に対向する側端間に相互間で放電を生じない寸法の平面的な間隔Ｓを必要とし、この間隔Ｓの分だけ額縁部分１３に余分なスペースを設けなければならず、配線１４の高密度配置を阻害するという問題点があった。特に、液晶表示パネル１１をトランスファ構造とした場合には、配線１４の数がより多くなるので、額縁部分１３により多くのスペースを必要とし、配線１４を高密度配置することができないということが顕著になるという問題点があった。
【００１３】
なお、ＴＦＴ方式の液晶表示パネルなどのように、配線を多層構造とすることにより、間隔Ｓを必要としない構成とすることもできるが、配線を多層構造とした場合には、製造工程が複雑になるとともに工程数が増加し、コストが高くなるので、近年の低コスト化という要求に応えることができないという問題点があった。さらに、多層構造とした場合には、製造工程内における異物管理が必要で、配線間の短絡が生じやすく歩留まりが悪いという問題点もあった。
【００１４】
そこで、多層構造とせずに、狭額縁化を容易に図ることのできる液晶表示パネルが求められている。
【００１５】
本発明はこの点に鑑みてなされたものであり、狭額縁化を容易に図ることのできる液晶表示パネルを提供することを目的とする。
【課題を解決するための手段】
【００１６】
前述した目的を達成するため、本発明の特許請求の範囲の請求項１に係る本発明の液晶表示パネルの特徴は、基板の一面の画像表示領域の周辺の額縁部分に多数の配線が形成されている液晶表示パネルにおいて、前記多数の配線が、前記基板の厚さ方向に高低差を設けて形成されている点にある。そして、このような構成を採用したことにより、多数の配線を基板の厚さ方向にずらして配置することができるので、隣位する配線の相互間に設ける平面的な間隔を少なくすることができる。
【００１７】
また、請求項２に係る本発明の液晶表示パネルの特徴は、請求項１において、前記高低差が、前記基板の一面に凹凸を設けることによって形成されている点にある。
【００１８】
また、請求項３に係る本発明の液晶表示パネルの特徴は、請求項１または２において、前記高低差が、前記多数の配線の配列方向に沿って高低を交互に繰り返すように設けられている点にある。そして、このような構成を採用したことにより、隣位する配線の相互間に平面的な間隔を設ける必要がない。
【００１９】
また、請求項４に係る本発明の液晶表示パネルの特徴は、請求項３において、前記高低差が、配線の厚さの２倍以上である点にある。
【発明の効果】
【００２０】
請求項１に係る本発明の液晶表示パネルによれば、多数の配線を額縁部分に高密度配置することができるので、狭額縁化を容易に図ることができるなどの極めて優れた効果を奏する。
【００２１】
請求項２に係る本発明の液晶表示パネルによれば、多数の配線の高低差を容易に得ることができるなどの極めて優れた効果を奏する。
【００２２】
請求項３に係る本発明の液晶表示パネルによれば、多数の配線の高密度配置をより容易かつ確実にできるなどの極めて優れた効果を奏する。
【００２３】
請求項４に係る本発明の液晶表示パネルによれば、隣位する配線の相互間における短絡を確実に防止することができるなどの極めて優れた効果を奏する。
【発明を実施するための最良の形態】
【００２４】
以下、本発明を図面に示す実施形態により説明する。
【００２５】
図１は本発明に係る液晶表示パネルの実施形態の要部を示す一部拡大断面図である。
【００２６】
図１に示すように、本実施形態の液晶表示パネル１は、基板２の額縁部分３の液晶側に位置する一面である図１の上面に線状とされた多数の配線４が形成されている。これらの配線４は、それぞれの厚さをほぼ同一にして所定のパターンにて配列されている。また、各配線４は、図１の上下方向に示す基板２の厚さ方向である高さ方向に高低差を設けて形成されている。
【００２７】
すなわち、本実施形態の液晶表示パネル１の額縁部分３には、基板２の上面からの高さの高い配線４ａと、高さの低い配線４ｂとの２種類の配線４が設けられている。なお、額縁部分３は、公知の如く、基板２の画像表示領域（図示せず）の周辺に設けられている。
【００２８】
一方の高さの高い配線４ａは、基板２の上面に形成されており、他方の高さの低い配線４ｂは、基板２の上面に凹設された凹溝５の底面５ａに形成されている。すなわち、配線４の高低差は、基板２の上面に凹凸を設けることによって形成されている。
【００２９】
本実施形態の高さの高い配線４ａと、高さの低い配線４ｂとは、図１の左右方向に示す多数の配線４の配列方向に沿って交互に配置されている。
【００３０】
すなわち、配線４の高低差は、多数の配線４の配列方向に沿って高低を交互に繰り返すように設けられている。
【００３１】
前記高さの高い配線４ａと高さの低い配線４ｂとは、額縁部分３における配線４の密度を最も高くする部位において、隣位する配線４の相互に対向する側端間に隙間がほぼないように平面的に接続するように連続的に形成されている。勿論、液晶表示パネル１の仕様、設計コンセプトなどの必要に応じて、隣位する配線４の相互に対向する側端間に隙間を設けることができる。
【００３２】
前記高低差としては、配線４の図１の上下方向に示す厚さの２倍以上、すなわち、高さの高い配線４ａと高さの低い配線４ｂとの間に、少なくとも配線４の厚さ分の高さ方向の間隔Ｇを設けることのできるサイズとすることが、隣位する配線４の相互間における短絡を確実に防止することができるという意味で好ましい。
【００３３】
なお、基板２に凹凸を所定のパターンにより設ける方法としては、基板２の一面に所定パターンのマスキングを行って、高さの低い配線４ｂの形成予定位置となる凹溝５ａの形成部分をフッ化水素（ＨＦ）を含む溶液などを用いて化学的にエッチングする方法や、サンドブラストなどによる物理的研削を行う方法を例示できる。これらのような基板２に凹凸を設ける方法は、基板２の材質や、設計コンセプトなどの必要に応じて選択使用することができる。
【００３４】
また、高さの低い配線４ｂを図示しない端子と接続する場合には、高さの低い配線４ｂと端子との間にも高低差が生じることになるので、ポリアセチレン、ポリアニリンなどの導電性ポリマーや、ナノ粒子銀ペーストなどを介して接続するとよい。なお、端子形成部においては、短絡を防止するために、隣位する端子の相互に対向する側端間に隙間を設けるようにする。また、導電材を介して接続せずに、凹溝５に傾斜を形成して徐々に溝深さを浅くして端子と接続させてもよい。
【００３５】
その他の構成については、従来公知のＴＮ方式あるいはＳＴＮ方式の液晶表示パネル１と同様とされているので、その詳しい説明および図示は省略する。
【００３６】
つぎに、前述した構成からなる本実施形態の作用について説明する。
【００３７】
本実施形態の液晶表示パネル１によれば、多数の配線４が、基板２の厚さ方向に高低差を設けて形成されているので、多数の配線４を基板２の厚さ方向にずらして配置することができ、隣位する配線４の相互間に設ける平面的な間隔Ｓ（図２参照）を少なくすることができる。
【００３８】
よって、本実施形態の液晶表示パネル１によれば、多数の配線４を額縁部分３に高密度配置することができるので、狭額縁化を容易に図ることができる。
【００３９】
また、本実施形態の液晶表示パネル１によれば、配線４の高低差が、基板２の一面に凹凸を設けることによって形成されているから、多数の配線４の高低差を容易に得ることができる。
【００４０】
また、本実施形態の液晶表示パネル１によれば、高低差が、多数の配線４の配列方向に沿って高低を交互に繰り返すように設けられているので、隣位する配線４の相互間に平面的な間隔を設ける必要がなく、多数の配線４の高密度配置をより容易かつ確実にできる。
【００４１】
また、本実施形態の液晶表示パネル１によれば、高低差が、少なくとも配線４の厚さの２倍以上であるから、隣位する配線４の相互間における短絡を確実に防止することができる。
【００４２】
なお、本発明は、前述した実施の形態に限定されるものではなく、必要に応じて種々の変更が可能である。例えば、額縁部分に形成される端子に適用することもできる。
【図面の簡単な説明】
【００４３】
【図１】本発明に係る液晶表示パネルの実施形態の基板の額縁部分に形成される配線をその配列方向に沿って切断して誇張して示す一部拡大断面図
【図２】従来の液晶表示パネルの基板の額縁部分に形成される配線の一例をその配列方向に沿って切断して誇張して示す部分拡大断面図
【符号の説明】
【００４４】
１  液晶表示パネル
２  基板
３  額縁部分
４  配線
５  凹溝
５ａ  底面
Ｇ  （高さ方向の）間隔
【図１】
2005070512.tif 000003
【図２】
2005070512.tif 000004